(57)【特許請求の範囲】
【請求項１】
ビス締め付け用のビットを突設配置してこのビットをスイッチ操作とクラッチで回転駆動するグリップユニットと、前記グリップユニットの下方に配置され、前記グリップユニットを下降、上昇可能に支持するとともに、前記ビットの先端を締付作用位置に臨ませ、下方の締め付け対象個所にビスを締め付けるビス締付機本体ユニットと、前記ビス締付機本体ユニットに着脱可能に装着されるとともに、多数のビスを所定の間隔で保持したビスロープを収納し前記ビス締付機本体ユニットに向けて繰り出すマガジンユニットと、を有し、
前記グリップユニットの上昇操作に連動して、前記ビスロープにより保持した各ビスを順に前記ビットの先端下部の締付作用位置に誘導し、前記ビス締付機本体ユニットの下方の締め付け対象箇所に対して、前記ビットを回転状態とした前記グリップユニットの下降操作に連動して、前記ビットの回転力を利用して各ビスを締め付け対象個所に連続的に締め付けるように構成した連続ビス締付機であって、
前記グリップユニットは、前記ビットを回転駆動する回転駆動部の正転、逆転方向を設定するディレクションレバー付きのトリガースイッチを含む構成とし、
前記ビス締付機本体ユニットは、前記ビスロープにより保持されたビスを締付作用位置に案内するフィーダブロック、及びこのフィーダブロックに対向配置したガイドカバー間のギャップを、ガイドカバーの平行移動調整により変更するギャップ調整機構部と、このビスの頭部とビットの先端との干渉を防止しつつ締付作用位置に一本ずつ送り込み可能とするとともに、操作者の操作で前記ビスロープにより保持されたビスを締付作用位置から取り出し可能としたビス送り機構部と、前記ビス締付機本体ユニットの下端部に配置し締め付け対象個所に当接させるスクリューガイドの位置を調整するスクリューガイド位置調整機構部と、前記ビス締付機本体ユニットの後部側に設けた剛性を有するマガジン取り付け機構部と、を具備した構成とし、
前記マガジンユニットは、ビスロープを収納し繰り出すマガジン本体と、このマガジン本体を施蓋する蓋体とを具備し、前記マガジン本体を、前記マガジン本体に配置したバネ性を有するスプリングプレートの弾力を利用して前記ビス締付機本体ユニットに着脱可能に構成した、
ことを特徴とし、
前記ビス送り機構部は、前記グリップユニットの下降、上昇に連動させるフィードレバー操作体と、このフィードレバー操作体の下降、上昇に応答して動作するフィードレバーと、このフィードレバーにより回動可能に支持されたビス送り用のフィードラッチと、前記ビスを締付作用位置に臨ませる状態で係止する回動可能なグリップフィンガーと、前記フィードラッチとグリップフィンガーと連動させる単リンク構造を構成するリリースレバーとを具備し、前記ビスロープにより保持されたビスを、このビスの頭部とビットの先端との干渉を防止しつつ締付作用位置に一本ずつ送り込み可能とするとともに、フィードラッチと、グリップフィンガーと、フィードラッチとグリップフィンガーと連動させる単リンク構造を構成するリリースレバーとを具備し、グリップフィンガーに対する操作者の回動操作で、リリースレバーを介してフィードラッチを連動させ前記ビスロープにより保持されたビスを締付作用位置から取り出し可能に構成した、
ことを特徴とし、
前記ビス締付機本体ユニットにおけるビス送りの確実性やビスロープの取り出し性の簡略化、前記グリップユニットによるビットの回転駆動操作の確実性、前記マガジンユニットの着脱容易化、前記マガジン本体に対する蓋体を着脱簡略化しつつ、使用の操作性を高めたとともに、ビス締め付け機能を高め、かつ、各要素の動作や操作性、迅速性の向上を発揮できるようにしたことを特徴とする連続ビス締付機。
【請求項２】
ビス締め付け用のビットを突設配置してこのビットをスイッチ操作とクラッチで回転駆動するグリップユニットと、前記グリップユニットの下方に配置され、前記グリップユニットを下降、上昇可能に支持するとともに、前記ビットの先端を締付作用位置に臨ませ、下方の締め付け対象個所にビスを締め付けるビス締付機本体ユニットと、前記ビス締付機本体ユニットに着脱可能に装着されるとともに、多数のビスを所定の間隔で保持したビスロープを収納し前記ビス締付機本体ユニットに向けて繰り出すマガジンユニットと、前記グリップユニットの上部にこのグリップユニットに対する突出高さを調整可能に、かつ、着脱可能に装着されるハンドルユニットと、を有し、
前記グリップユニットの上昇操作に連動して、前記ビスロープにより保持した各ビスを順に前記ビットの先端下部の締付作用位置に誘導し、前記ビス締付機本体ユニットの下方の締め付け対象箇所に対して、前記ビットを回転状態とした前記グリップユニットの下降操作に連動して、前記ビットの回転力を利用して各ビスを締め付け対象個所に連続的に締め付けるように構成した連続ビス締付機であって、
前記グリップユニットは、前記ビットを回転駆動する回転駆動部の正転、逆転方向を設定するディレクションレバー付きのトリガースイッチを含む構成とし、
前記ビス締付機本体ユニットは、前記ビスロープにより保持されたビスを締付作用位置に案内するフィーダブロック、及びこのフィーダブロックに対向配置したガイドカバー間のギャップを、ガイドカバーの平行移動調整により変更するギャップ調整機構部と、このビスの頭部とビットの先端との干渉を防止しつつ締付作用位置に一本ずつ送り込み可能とするとともに、操作者の操作で前記ビスロープにより保持されたビスを締付作用位置から取り出し可能としたビス送り機構部と、前記ビス締付機本体ユニットの下端部に配置し締め付け対象個所に当接させるスクリューガイドの位置を調整するスクリューガイド位置調整機構部と、前記ビス締付機本体ユニットの後部側に設けた剛性を有するマガジン取り付け機構部と、を具備した構成とし、
前記マガジンユニットは、ビスロープを収納し繰り出すマガジン本体と、このマガジン本体を施蓋する蓋体とを具備し、前記マガジン本体を、前記マガジン本体に配置したバネ性を有するスプリングプレートの弾力を利用して前記ビス締付機本体ユニットに着脱可能に構成し、
前記ハンドルユニットは、外シャフト、内シャフトの二重構造で前記グリップユニットからのハンドルグリップの突出長さを簡易に長短調整可能に構成した、
ことを特徴とし、
前記ビス送り機構部は、前記グリップユニットの下降、上昇に連動させるフィードレバー操作体と、このフィードレバー操作体の下降、上昇に応答して動作するフィードレバーと、このフィードレバーにより回動可能に支持されたビス送り用のフィードラッチと、前記ビスを締付作用位置に臨ませる状態で係止する回動可能なグリップフィンガーと、前記フィードラッチとグリップフィンガーと連動させる単リンク構造を構成するリリースレバーとを具備し、前記ビスロープにより保持されたビスを、このビスの頭部とビットの先端との干渉を防止しつつ締付作用位置に一本ずつ送り込み可能とするとともに、フィードラッチと、グリップフィンガーと、フィードラッチとグリップフィンガーと連動させる単リンク構造を構成するリリースレバーとを具備し、グリップフィンガーに対する操作者の回動操作で、リリースレバーを介してフィードラッチを連動させ前記ビスロープにより保持されたビスを締付作用位置から取り出し可能に構成した、
ことを特徴とし、
前記ビス締付機本体ユニットにおけるビス送りの確実性やビスロープの取り出し性の簡略化、前記グリップユニットによるビットの回転駆動操作の確実性、前記マガジンユニットの着脱容易化、前記マガジン本体に対する蓋体を着脱簡略化しつつ、使用の操作性を高めたとともに、ビス締め付け機能を高め、かつ、各要素の動作や操作性、迅速性の向上を発揮できるようにしたことを特徴とする連続ビス締付機。
【請求項３】
ビス締め付け用のビットを突設配置してこのビットをスイッチ操作とクラッチで回転駆動するグリップユニットと、前記グリップユニットの下方に配置され、前記グリップユニットを下降、上昇可能に支持するとともに、前記ビットの先端を締付作用位置に臨ませ、下方の締め付け対象個所にビスを締め付けるビス締付機本体ユニットと、前記ビス締付機本体ユニットに着脱可能に装着されるとともに、多数のビスを所定の間隔で保持したビスロープを収納し前記ビス締付機本体ユニットに向けて繰り出すマガジンユニットと、前記グリップユニットの上部にこのグリップユニットに対する突出高さを調整可能に、かつ、着脱可能に装着されるハンドルユニットと、を有し、
前記グリップユニットの上昇操作に連動して、前記ビスロープにより保持した各ビスを順に前記ビットの先端下部の締付作用位置に誘導し、前記ビス締付機本体ユニットの下方の締め付け対象箇所に対して、前記ビットを回転状態とした前記グリップユニットの下降操作に連動して、前記ビットの回転力を利用して各ビスを締め付け対象個所に連続的に締め付けるように構成した連続ビス締付機であって、
前記グリップユニットは、前記ビットを回転駆動する回転駆動部の正転、逆転方向を設定するディレクションレバー付きのトリガースイッチを含む構成とし、
前記ビス締付機本体ユニットは、前記ビスロープにより保持されたビスを締付作用位置に案内するフィーダブロック、及びこのフィーダブロックに対向配置したガイドカバー間のギャップを、ガイドカバーの平行移動調整により変更するギャップ調整機構部と、前記グリップユニットの下降、上昇に連動させるフィードレバー操作体と、このフィードレバー操作体の下降、上昇に応答して動作するフィードレバーと、このフィードレバーにより回動可能に支持されたビス送り用のフィードラッチと、前記ビスを締付作用位置に臨ませる状態で係止する回動可能なグリップフィンガーと、前記フィードラッチとグリップフィンガーと連動させる単リンク構造を構成するリリースレバーとを具備し、前記ビスロープにより保持されたビスを、このビスの頭部とビットの先端との干渉を防止しつつ締付作用位置に一本ずつ送り込み可能とするとともに、フィードラッチと、グリップフィンガーと、フィードラッチとグリップフィンガーと連動させる単リンク構造を構成するリリースレバーとを具備し、グリップフィンガーに対する操作者の回動操作で、リリースレバーを介してフィードラッチを連動させ前記ビスロープにより保持されたビスを締付作用位置から取り出し可能としたビス送り機構部と、前記ビス締付機本体ユニットの下端部に配置し締め付け対象個所に当接させるスクリューガイドの位置を調整するスクリューガイド位置調整機構部と、前記ビス締付機本体ユニットの後部側に設けた剛性を有するマガジン取り付け機構部と、を具備した構成とし、
前記マガジンユニットは、ビスロープを巻回状態で収納して繰り出し口から前記ビス締付機本体ユニットに向けて繰り出すマガジン本体と、このマガジン本体に対してピン結合により開閉可能に取り付けられて当該マガジン本体の上部開口部を施蓋又は表出するようにしたとともにマガジン本体に対して着脱可能な構成とした蓋体と、を具備した構成とし、
前記ハンドルユニットは、外シャフト、内シャフトの二重構造で、外シャフトを前記グリップユニットに対してロック可能に構成するとともに、内シャフトを外シャフトに対して位置調整可能に、かつ、ロック可能に構成して、前記グリップユニットからのハンドルグリップの突出長さを簡易に長短調整可能に構成した、
ことを特徴とし、
前記ビス締付機本体ユニットにおけるビス送りの確実性やビスロープの取り出し性の簡略化、前記グリップユニットによるビットの回転駆動操作の確実性、前記マガジンユニットの着脱容易化、前記マガジン本体に対する蓋体を着脱簡略化しつつ、使用の操作性及び前記ハンドルユニットの操作性を高めたとともに、ビス締め付け機能を高め、かつ、各要素の動作や操作性、迅速性の向上を発揮できるようにしたことを特徴とする連続ビス締付機。
【請求項４】
前記ビス締付機本体ユニットは、このビス締付機本体ユニットから排出される空状態となったビスロープを切断するビスロープカッターを備えることを特徴とする請求項１乃至３のいずれか１項に記載の連続ビス締付機。
【請求項５】
前記ハンドルユニットは、前記グリップユニットの上面部に設けた凹凸のないハンドルユニット挿入口に挿入され、前記グリップユニットに設けたハンドルユニットロックレバーにより前記グリップユニットに固定されることを特徴とする請求項２乃至４のいずれか１項に記載の連続ビス締付機。
【請求項６】
前記マガジンユニットのマガジン本体は、一対のピン穴を有する蓋体軸支部を備え、前記蓋体上面に設けた手動操作によって先端側を接近又は離隔するように変位可能とした一対のピン支持プレートにより支持した一対のピンを、前記蓋体軸支部の一対のピン穴に係脱させることで、前記蓋体を前記蓋体軸支部に着脱可能に構成したことを特徴とする請求項１乃至５のいずれか１項に記載の連続ビス締付機。
【発明の詳細な説明】
【技術分野】
【０００１】
本発明は、連続ビス締付機に関し、詳しくは、例えば木板、金属板又は石膏板等の板材を床面又は壁面に固定するために、簡易、迅速にビスを連続的に締め付ける連続ビス締付機に関するものである。
【背景技術】
【０００２】
従来、木板、金属板又は石膏板等の板材を床面又は壁面に固定するために、ビスを連続的に締め付けることができる連続ビス締付機が提案されている。
【０００３】
本願出願人は、先にこの種に属する連続ビス締付機を提案し特許を取得している（特許文献１）。
【０００４】
この特許文献１に係る連続ビス締付機は、グリップハンドルの前方位置に駆動機を配設するとともに、該駆動機に減速機構を介在してビス締付用のビットを該駆動機の上部位置において着脱自在に連結して締付機本体を構成し、該締付機本体の前部に、前後方向へ摺動自在になるようにビス送り機構本体を取り付け、該ビス送り機構本体内に前記ビットを回転自在に挿通させ、また該締付機本体に該ビットによるビスの締め付け深さを調節するために略筒状に形成したアジャスター・リングを該ビットに挿通し、前記ビス送り機構本体に、多数のビスを帯状部材に並列状態に取り付けたビスロープの各ビスを、前記ビットによる締付動作に伴うビス送り機構本体の前後方向への摺動に連動して順次前記ビットによる締付作用位置に送り出すビス送り機構を構成し、前記ビス送り機構本体に、前記ビスの頭部溝をそのビスロープの送り方向と平行になるように複数本形成するとともに、該ビスロープの帯状部材の案内路の前後方向位置を、逆Ｌ字状に形成してなるビスロープガイドの立壁部を前後に入れ換えることにより自在に変更することができるように構成し、また、前記ビス送り機構本体に、当接面を突設して成る先端ブロックを、該ビス送り機構本体に対して前後方向の所望位置に固定できるように構成し、前記先端ブロックに、前記ビスロープを収容するマガジンを着脱自在に取り付けた構成としたものである。
【先行技術文献】
【特許文献】
【０００５】
【特許文献１】特許第３１５９０１６号公報
【発明の概要】
【発明が解決しようとする課題】
【０００６】
本願発明は、特許文献１に係る連続ビス締付機の技術を踏まえ、ビス締付機本体ユニットにおけるビス送りの確実性やビスロープの取り出し性の簡略化、迅速化、グリップユニットの操作の確実性、マガジンユニットの着脱容易化、マガジン本体に対する蓋体の着脱簡略化、装着脱自在となるように構成したハンドルユニットを装着して使用する場合の当該ハンドルユニットの操作性向上等、種々の改良を加えて、全体としてビス締め付け機能を一層高め、かつ、迅速性、操作性の向上を図った連続ビス締付機を実現し提供するものである。
【課題を解決するための手段】
【０００７】
本発明は、ビス締め付け用のビットを突設配置してこのビットをスイッチ操作とクラッチで回転駆動するグリップユニットと、前記グリップユニットの下方に配置され、前記グリップユニットを下降、上昇可能に支持するとともに、前記ビットの先端を締付作用位置に臨ませ、下方の締め付け対象個所にビスを締め付けるビス締付機本体ユニットと、前記ビス締付機本体ユニットに着脱可能に装着されるとともに、多数のビスを所定の間隔で保持したビスロープを収納し前記ビス締付機本体ユニットに向けて繰り出すマガジンユニットと、前記グリップユニットの上部にこのグリップユニットに対する突出高さを調整可能に、かつ、着脱可能に装着されるハンドルユニットと、を有し、前記グリップユニットの上昇操作に連動して、前記ビスロープにより保持した各ビスを順に前記ビットの先端下部の締付作用位置に誘導し、前記ビス締付機本体ユニットの下方の締め付け対象箇所に対して、前記ビットを回転状態とした前記グリップユニットの下降操作に連動して、前記ビットの回転力を利用して各ビスを締め付け対象個所に連続的に締め付けるように構成した連続ビス締付機であって、前記グリップユニットは、前記ビットを回転駆動する回転駆動部の正転、逆転方向を設定するディレクションレバー付きのトリガースイッチを含む構成とし、前記ビス締付機本体ユニットは、前記ビスロープにより保持されたビスを締付作用位置に案内するフィーダブロック、及びこのフィーダブロックに対向配置したガイドカバー間のギャップを、ガイドカバーの平行移動調整により変更するギャップ調整機構部と、このビスの頭部とビットの先端との干渉を防止しつつ締付作用位置に一本ずつ送り込み可能とするとともに、フィードラッチと、グリップフィンガーと、フィードラッチとグリップフィンガーと連動させる単リンク構造を構成するリリースレバーとを具備し、グリップフィンガーに対する操作者の回動操作で、リリースレバーを介してフィードラッチを連動させ前記ビスロープにより保持されたビスを締付作用位置から取り出し可能としたビス送り機構部と、前記ビス締付機本体ユニットの下端部に配置し締め付け対象個所に当接させるスクリューガイドの位置を調整するスクリューガイド位置調整機構部と、前記ビス締付機本体ユニットの後部側に設けた剛性を有するマガジン取り付け機構部と、を具備し、前記マガジンユニットは、ビスロープを収納し繰り出すマガジン本体と、このマガジン本体を施蓋する蓋体とを具備し、前記マガジン本体を、前記マガジン取り付け機構部に配置したバネ性を有するスプリングプレートの弾力を利用して前記ビス締付機本体ユニットに着脱可能に構成し、前記グリップユニットの上部に前記ハンドルユニットを装着して使用する場合、当該ハンドルユニットは、外シャフト、内シャフトの二重構造で、前記グリップユニットからのハンドルグリップの突出長さを簡易に長短調整可能に構成したことを最も主要な特徴とする。
【発明の効果】
【０００８】
請求項１記載の発明によれば、ビス締付機本体ユニットにおけるビス送りの確実性やビスロープの取り出し性の簡略化、グリップユニットによるビットの回転駆動操作の確実性、マガジンユニットの着脱容易化、マガジン本体に対する蓋体の着脱簡略化し、操作性を高め、全体としてビス締め付け機能を高め、かつ、各要素の動作や操作性、迅速性の向上を図った連続ビス締付機を実現し提供することができる。
【０００９】
請求項２記載の発明によれば、請求項１記載の発明の効果と同様に、ビス締付機本体ユニットにおけるビス送りの確実性やビスロープの取り出し性の簡略化、グリップユニットによるビットの回転駆動操作の確実性、マガジンユニットの着脱容易化、マガジン本体に対する蓋体の着脱簡略化、操作者によるハンドルユニットの操作性を高め、全体としてビス締め付け機能を高め、かつ、各要素の動作や操作性、迅速性の向上を図った連続ビス締付機を実現し提供することができる。
【００１０】
請求項３記載の発明によれば、請求項２記載の発明の効果に加えて、ハンドルユニットは外シャフト、内シャフトの二重構造、すなわち、具体的には外シャフトがグリップユニットに入る構成とすることで、グリップユニットからのハンドルグリップの突出長さ、すなわち、長短調整の長さ範囲を広くすることができ、この種の従来機器においては数種類の長さ設定が必要であったものが、本発明構成では単一設定で当該作用、効果を実現できるとともに、上記長短調整の固定の点においても、この種の従来機器においては単に挟み込んでいたので緩んで長さがずれることがあったのに対し、本発明構成では窪みにピンを挿すだけで当該ずれを解消できる連続ビス締付機を実現し提供できる。
【００１１】
請求項４記載の発明によれば、請求項１乃至３のいずれか１項に記載の連続ビス締付機において、ビス締付機本体ユニットから排出される空状態となったビスロープを切断するビスロープカッターを備えることから、空状態となったビスロープの除去が極めて容易な連続ビス締付機を実現し提供することができる。
【００１２】
請求項５記載の発明によれば、請求項２乃至４のいずれか１項に記載の連続ビス締付機において、前記ハンドルユニットは、前記グリップユニットの上面部に設けた凹凸のないハンドルユニット挿入口に挿入され、前記グリップユニットに設けたハンドルユニットロックレバーにより前記グリップユニットに固定される構成としたことにより、前記ハンドルユニットを取り付けないグリップユニットの上面部における安全性を向上させた連続ビス締付機を実現し提供することができる。
【００１３】
請求項６記載の発明によれば、請求項１乃至５のいずれか１項に記載の連続ビス締付機において、前記マガジンユニットのマガジン本体に一対のピン穴を有する蓋体軸支部を備え、蓋体に設けた手動操作により先端側を接近又は離隔する一対のピン支持プレートに設けた一対のピンを前記蓋体軸支部の一対のピン穴に係脱することで、前記蓋体を前記蓋体軸支部に着脱可能に構成したものであるから、前記蓋体の前記マガジン本体に対する着脱が極めて簡略容易な連続ビス締付機を実現し提供することができる。
【図面の簡単な説明】
【００１４】
【図１】図１は本発明の実施例に係る連続ビス締付機の全体構成を示す概略斜視図である。
【図２】図２は本実施例に係る連続ビス締付機のグリップユニットの概略斜視図である。
【図３】図３は本実施例に係るグリップユニットを構成するブロックヘッド単体の概略斜視図である。
【図４】図４は本実施例に係るグリップユニット内に配置する回転駆動部及びハンドルユニットを示す概略斜視図である。
【図５】図５は図４に示す回転駆動部を構成する回転駆動源と歯車群を示す概略斜視図である。
【図６】図６は本実施例におけるブロックヘッドに取り付けるフィードレバー操作体を示す概略斜視図である。
【図７】図７は、図６に示すフィードレバー操作体とビス送り機構部のフィードレバーのストップ用凹陥部との係合状態を示す概略斜視図である。
【図８】図８は、図７は図６に示すフィードレバー操作体とビス送り機構部の斜面部との係合状態を示す概略斜視図である。
【図９】図９は本実施例に係るグリップユニットにおけるハンドルユニット挿入口、ハンドルユニットロックレバーを示す部分斜視図である。
【図１０】図１０は本実施例に係るビス締付機本体ユニットに設けたビス送り機構部の概略右側面図である。
【図１１】図１１は本実施例に係るビス送り機構部のフィーダブロックを除去した構成とビットとを示す概略斜視図である。
【図１２】図１２は本実施例に係るビス送り機構部を背面側から見た状態を示す概略斜視図である
【図１３】図１３は本実施例に係るビス送り機構部の各構成要素を示す概略斜視図である。
【図１４】図１４は本実施例に係るビス送り機構部のフィードレバー単体の概略斜視図である。
【図１５】図１５は本実施例に係るビス締付機本体ユニットに設けたギャップ調整機構部をガイドカバー、調整ダイアルを除去した状態で示す概略斜視図である。
【図１６】図１６は本実施例に係るビス締付機本体ユニットに設けたギャップ調整機構部における調整ダイアルを除去した状態で示す概略斜視図である。
【図１７】図１７は本実施例に係るビス締付機本体ユニットに設けたギャップ調整機構部を構成する調整ダイアル単体の概略斜視図である。
【図１８】図１８は本実施例に係るビス締付機本体ユニットに設けたギャップ調整機構部を構成する調整ダイアル単体を背面側から見た状態で示す概略斜視図である。
【図１９】図１９は本実施例に係るビス締付機本体ユニットに設けたスクリューガイド位置調整機構部のアジャストレバーを示す概略斜視図である。
【図２０】図２０は本実施例に係るビス締付機本体ユニットに設けたスクリューガイド位置調整機構部示す概略正面図である。
【図２１】図２１は本実施例に係るビス締付機本体ユニットに設けたスクリューガイド位置調整機構部の各要素、ビット、ビスロープカッターを示す概略斜視図である。
【図２２】図２２は本実施例に係るビス締付機本体ユニットに設けたスクリューガイド位置調整機構部の各要素を背面側から見た状態を示す概略背面図である。
【図２３】図２３は本実施例に係るビス締付機本体ユニットに設けたスクリューガイド位置調整機構部のアジャストレバー単体を示す概略背面図である。
【図２４】図２４は本実施例に係るビス締付機本体ユニットに設けたマガジン取り付け機構部を示す概略斜視図である。
【図２５】図２５は本実施例に係るビス締付機本体ユニット、マガジンユニットを示す概略側面図である。
【図２６】図２６は本実施例に係るマガジンユニットを示す概略斜視図である。
【図２７】図２７は本実施例に係るマガジンユニットのマガジン本体を示す概略斜視図である。
【図２８】図２８は本実施例に係るマガジンユニットの蓋体を示す概略斜視図である。
【図２９】図２９は本実施例に係るマガジンユニットの蓋体を示す概略平面図である。
【図３０】図３０は本実施例に係るハンドルユニットの固定機構を示す説明図である。
【図３１】図３１は本実施例に係るハンドルユニットの固定機構を示す説明図である。
【図３２】図３２は本実施例に係るハンドルユニットの固定機構を示す説明図である。
【図３３】図３３は本実施例に係るハンドルユニットの抜け止め機構を示す説明図である。
【図３４】図３４は本実施例に係るハンドルユニットの抜け止め機構を示す説明図である。
【図３５】図３５は本実施例に係るハンドルユニットの抜け止め機構を示す説明図である。
【図３６】図３６は本実施例に係るハンドルユニットの長さ調節機構を示す説明図である。
【図３７】図３７は本実施例に係るハンドルユニットの長さ調節機構を示す説明図である。
【発明を実施するための形態】
【００１５】
本発明は、ビス締付機本体ユニットにおけるビス送りの確実性やビスロープの取り出し性の簡略化、グリップユニットの操作の確実性、マガジンユニットの着脱容易化、マガジン本体に対する蓋体の着脱簡略化、装着脱自在となるように構成したハンドルユニットを装着して使用する場合の当該ハンドルユニットの操作性向上等、種々の改良を加えて、全体としてビス締め付け機能を一層高め、かつ、操作性、迅速性の向上を図った連続ビス締付機を実現し提供するという目的を、ビス締め付け用のビットを突設配置してこのビットをスイッチ操作とクラッチで回転駆動するグリップユニットと、前記グリップユニットの下方に配置され、前記グリップユニットを下降、上昇可能に支持するとともに、前記ビットの先端を締付作用位置に臨ませ、下方の締め付け対象個所にビスを締め付けるビス締付機本体ユニットと、前記ビス締付機本体ユニットに着脱可能に装着されるとともに、多数のビスを所定の間隔で保持したビスロープを収納し前記ビス締付機本体ユニットに向けて繰り出すマガジンユニットと、前記グリップユニットの上部にこのグリップユニットに対する突出高さを調整可能に、かつ、着脱可能に装着されるハンドルユニットと、を有し、前記グリップユニットの上昇操作に連動して、前記ビスロープにより保持した各ビスを順に前記ビットの先端下部の締付作用位置に誘導し、前記ビス締付機本体ユニットの下方の締め付け対象箇所に対して、前記ビットを回転状態とした前記グリップユニットの下降操作に連動して、前記ビットの回転力を利用して各ビスを締め付け対象個所に連続的に締め付けるように構成した連続ビス締付機であって、前記グリップユニットは、前記ビットを回転駆動する回転駆動部の正転、逆転方向を設定するディレクションレバー付きのトリガースイッチを含む構成とし、前記ビス締付機本体ユニットは、前記ビスロープにより保持されたビスを締付作用位置に案内するフィーダブロック、及びこのフィーダブロックに対向配置したガイドカバー間のギャップを、ガイドカバーの平行移動調整により変更するギャップ調整機構部と、前記グリップユニットの下降、上昇に連動させるフィードレバー操作体と、このフィードレバー操作体の下降、上昇に応答して動作するフィードレバーと、このフィードレバーにより回動可能に支持されたビス送り用のフィードラッチと、前記ビスを締付作用位置に臨ませる状態で係止する回動可能なグリップフィンガーと、前記フィードラッチとグリップフィンガーと連動させる単リンク構造を構成するリリースレバーとを具備し、前記ビスロープにより保持されたビスを、このビスの頭部とビットの先端との干渉を防止しつつ締付作用位置に一本ずつ送り込み可能とするとともに、フィードラッチと、グリップフィンガーと、フィードラッチとグリップフィンガーと連動させる単リンク構造を構成するリリースレバーとを具備し、グリップフィンガーに対する操作者の回動操作で、リリースレバーを介してフィードラッチを連動させ前記ビスロープにより保持されたビスを締付作用位置から取り出し可能としたビス送り機構部と、前記ビス締付機本体ユニットの下端部に配置し締め付け対象個所に当接させるスクリューガイドの位置を調整するスクリューガイド位置調整機構部と、前記ビス締付機本体ユニットの後部側に設けた剛性を有するマガジン取り付け機構部と、を具備し、前記マガジンユニットは、ビスロープを収納し繰り出すマガジン本体と、このマガジン本体を施す蓋体とを具備し、前記マガジン本体をビス締付機本体ユニットに設けたマガジン取り付け機構部に配置したバネ性を有するスプリングプレートの弾力を利用して前記ビス締付機本体ユニットに着脱可能に構成するとともに、前記蓋体をマガジン本体の蓋体軸支部に対してピン結合により着脱可能に構成し、前記グリップユニットの上部に前記ハンドルユニットを装着して使用する場合、当該ハンドルユニットは、外シャフト、内シャフトの二重構造で、外シャフトを前記グリップユニットに対してロック可能に構成するとともに、内シャフトを外シャフトに対して位置調整可能に、かつ、ロック可能に構成して、前記グリップユニットからのハンドルグリップの突出長さを簡易に長短調整可能に構成することにより実現した。
【実施例】
【００１６】
以下、本発明の実施例に係る連続ビス締付機について、各図面を参照して詳細に説明する。
【００１７】
本実施例に係る連続ビス締付機１は、図１に示すように、この連続ビス締付機１の操作者が片手で握り、下方に突出させたビットＢを回転駆動してビスＳを目的箇所に締め付け操作するためのグリップユニット２と、前記グリップユニット２の下部に配置され前記ビットＢによる回転力を利用してビスＳを目的箇所に締め付けるビス締付機本体ユニット３と、前記ビス締付機本体ユニット３の後部に着脱可能に配置され、このビス締付機本体ユニット３に対してビスＳを連続的に供給するマガジンユニット４と、前記グリップユニット２の上部に配置されるとともに、前記グリップユニット２に対して挿脱可能に、高さ調整可能に構成し、連続ビス締付機１の操作者が両手で（又は片手で）握って操作するハンドルユニット５と、を有している。
【００１８】
本発明においては、前記ハンドルユニット５を必須の構成とするものではない。当該ハンドルユニット５は前記グリップユニット２の上部に装着脱自在となるように構成している。本実施例に係る連続ビス締付機１の使用に際しては、当該ハンドルユニット５を装着して使用するか、また、ハンドルユニット５を装着しないで使用するかは自在である。
【００１９】
前記ビットＢは、一般工具のドライバーに相当する部材であり、断面形状が六角形状の軸から成るものである。このビットＢの両端には、ビスの頭部、例えば＋溝などの係合溝に係合する係合凸部を形成し、この係合凸部の近傍に、噛み合わせ用の溝が円周方向に形成してあるものである。
【００２０】
前記グリップユニット２の外観構成について、図１、図２を参照して説明する。
【００２１】
前記グリップユニット２は、操作者が片手を挿入し握るための空間を形成する表裏２枚構成のハンドルカバー１１、及びこのハンドルカバー１１の上部を覆うエンドカバー１２と、ハンドルカバー１１の下部に配置する筒形状のハウジング１３と、このハウジング１３の下部に順に添設する下第１カバー１４ａ、下第２カバー１４ｂと、前記下第２カバー１４ｂの更に下部に添設するブロックヘッド１５と、を有している。
【００２２】
前記エンドカバー１２の下面側には、後述する回転駆動源２３の回転開始又は回転停止を行うためのトリガースイッチ１６を配置するとともに、その隣りには、回転駆動源２３を正転又は逆転するためのディレクションレバー１７を取り付けている。
【００２３】
前記トリガースイッチ１６、ディレクションレバー１７は、一体型に構成し、偶発的な正転、逆転切り替え防止を図っている。
【００２４】
また、前記エンドカバー１２の前部側には、前記ハンドルユニット５の下端側を挿入する表面に凹凸のないハンドルユニット挿入口１８を設けるとともに、前記ハンドルカバー１１の前部には前記ハンドルユニット５をグリップユニット２自体に固定し又は固定解除を行うハンドルユニットロックレバー１９を配置している。
【００２５】
すなわち、前記グリップユニット２の前記エンドカバー１２、ハンドルカバー１１、ハウジング１３の内部には、前記ハンドルユニット挿入口１８からハウジング１３の内部に至るハンドルユニット５用の挿入空間を形成し、前記ハンドルユニット挿入口１８から挿入するハンドルユニット５の外シャフト４１部分を、その先端部が下第１カバー１４ａに当接する位置まで挿入し、前記ハンドルユニットロックレバー１９を操作して当該外シャフト４１を固定することで、グリップユニット２からのハンドルグリップ４６の抜け止めとして作用するように構成している。
【００２６】
前記ハンドルユニット挿入口１８、ハンドルユニットロックレバー１９について更に説明する。
【００２７】
前記エンドカバー１２におけるハンドルユニット挿入口１８の領域には、図９に示すように、このハンドルユニット挿入口１８を閉塞又は全開するハンドルユニット挿入口カバー８１をピン９３により開閉可能に支持するとともに、スプリング（図示せず）によりハンドルユニット挿入口カバー８１をハンドルユニット挿入口１８側に付勢し、ハンドルユニット挿入口１８を常時閉塞状態となるよう構成している。
【００２８】
一方、前記ハンドルユニットロックレバー１９は、前記ハンドルユニット挿入口カバー８１の先端部に係合しハンドルユニット挿入口１８が閉塞されるロック状態とするとともに、ハンドルユニットロックレバー１９をレバースプリング８３の弾力に抗して持ち上げるとハンドルユニット挿入口カバー８１とのロックが解除されてハンドルユニット挿入口１８から前記ハンドルユニット５をグリップユニット２内に挿入し得るように構成している。
【００２９】
また、ハンドルユニットロックレバー１９を戻すと再びハンドルユニット挿入口カバー８１をロックし得るように構成している。
【００３０】
このような構成によれば、前記エンドカバー１２のハンドルユニット挿入口１８を閉塞するハンドルユニット挿入口カバー８１がこのハンドルユニット挿入口１８から外方に露出せず、また、ハンドルユニット挿入口１８の付近に凹凸がない構造であるため、前記グリップユニット２を操作する操作者の手が当たって痛めるというような不都合が生じることはなく、安全性を向上することができる。
【００３１】
図３０乃至図３２は、ハンドルユニット５の固定機構を示す説明図である。
【００３２】
図３０は、ハンドルユニット５のシャフト部分の挿入前の状態を示すものであり、ハンドルユニット挿入口カバー８１はハンドルユニットロックレバー１９のカム部１９ａによって内側へは開かずに固定されている状態（外側へは開かない構造）となっている。この状態で、ハンドルユニットロックレバー１９を起こすと、ハンドルユニット挿入口カバー８１の固定が解除されて内側へ倒すことができ、ハンドルユニット５のシャフト部分を挿入可能となる。
【００３３】
図３１は、ハンドルユニットのシャフト部分の挿入途中の状態を示すものであり、ハンドルユニットロックレバー１９を起こした状態のままハンドルユニット挿入口カバー８１を内側へ倒しながらハンドルシャフトにおける外シャフト４１を挿入すると、外シャフト４１のくぼみ４１ａがハンドルユニットロックレバー１９のカム部１９ａに到達するまで起きた状態のまま保持されるようになっている。
【００３４】
図３２は、ハンドルユニットのシャフト部分の固定状態を示すものであり、外シャフト４１先端を下第１カバーに当接するまで挿入し、くぼみ４１ａがハンドルユニットロックレバー１９のカム部１９ａに到達すると、ハンドルユニットロックレバー１９が倒れて外シャフト４１が固定されるようになっている。
【００３５】
前記グリップユニット２におけるエンドカバー１２の後部には、図２に示すように、本実施例に係る連続ビス締付機１の動作に必要な電力供給用の電源コード（図示せず）を保持するためのコード保持部２０を取り付けている。
【００３６】
前記ブロックヘッド１５は、図３に示すように、前記グリップユニット２と、前記ビス締付機本体ユニット３との間に介在させる平行配置の一対のガイドポール２１ａ、２１ｂの外周に対して上下動可能に装着する左右一対のガイドポール挿入筒１５ａ、１５ｂを平行配置で備えるとともに、一対のガイドポール挿入筒１５ａ、１５ｂの下部位置の中間部にはビットＢが挿通されるビット挿入筒１５ｃを設けている。
【００３７】
そして、前記グリップユニット２により上端部を保持したビットＢが、ビット挿入筒１５ｃを貫通する状態で下方に突出させ、このビットＢの下端側を前記ビス締付機本体ユニット３の内部に臨ませている。
【００３８】
また、前記ブロックヘッド１５の上面側から前記ビット挿入筒１５ｃの上方位置にわたって、詳細は後述する回転駆動部２２の構成要素を収容する収容穴１５ｄを設けている。
【００３９】
次に、図４、図５を参照して前記グリップユニット２における前記ビットＢを回転駆動する回転駆動部２２の構成について概説する。
【００４０】
前記回転駆動部２２は、前記トリガースイッチ１６の操作により回転する回転駆動源２３と、この回転駆動源２３の回転力を前記ビットＢに伝達するビット回転駆動機構部２４と、を具備している。
【００４１】
前記回転駆動源２３は、図５に拡大して示すように、前記グリップユニット２内に上下対向状態で固定配置された一対の軸受２４ａ、２４ｂと、この一対の軸受２４ａ、２４ｂにより原動軸２４ｃを回転可能に支持した直流電圧により回転するとともに、前記ディレクションレバー１７の動作で正転又は反転するようにした駆動モータ２５と、前記駆動モータ２５に直流電圧を印加するためのブラシ２６と、前記駆動モータ２５の周りに配置したステーター２７とを具備し、原動軸２４ｃの下部に前記ビット回転駆動機構部２４を構成する第１歯車２８を取り付けている。
【００４２】
本実施例においては、前記一対の軸受２４ａ、２４ｂのうち軸受２４ａはプラスチックのハウジングを用い、軸受２４ｂはアルミ製のブロックを用いて前記グリップユニット２内の所定箇所に固定するように構成し、回転駆動部２２におけるギヤ付近の精度向上と剛性向上を図っている。
【００４３】
前記ビット回転駆動機構部２４は、図４に示すように、前記第１歯車２８と、前記グリップユニット２内に配置した同軸配置の第２歯車２９及び第３歯車３０と、前記ビットＢと同軸配置の第４歯車３１と、クラッチ３２と、軸受（ニードルベアリング）３３と、ソケット３４と、スリーブ３５と、前記ビットＢの上部を保持し、ビットの締め付け深さを調整するビット調整ダイアル３６と、を具備している。
【００４４】
前記クラッチ３２、軸受３３、ソケット３４、スリーブ３５、及びビット調整ダイアル３６は、前記ビットＢ及び第４歯車３１と同軸配置となるように構成している。
【００４５】
また、ビット調整ダイアル３６の外周部は、前記ブロックヘッド１５のビット挿入筒１５ｃの下部において露出し、操作者の指操作が可能となるように構成している。
【００４６】
前記一対の軸受２４ａ、２４ｂのうち軸受２４ｂ、及び第２歯車２９及び第３歯車３０を支持する軸受類は、全てアルミ製のブロック（図示せず）を用いて前記グリップユニット２内の所定箇所に固定するように構成し、回転駆動部２２の精度向上と剛性向上を図っている。
【００４７】
次に、前記ハンドルユニット５について説明する。
【００４８】
前記したように、本発明においては、前記ハンドルユニット５を必須の構成とするものではなく、当該ハンドルユニット５は前記グリップユニット２の上部に装着脱自在となるように構成している。本実施例に係る連続ビス締付機１の使用に際しては、当該ハンドルユニット５を装着して使用するか、また、ハンドルユニット５を装着しないで使用するかは自在である。
【００４９】
そして、装着脱自在となるように構成したハンドルユニットを装着して使用する場合、当該ハンドルユニットの操作性向上を発揮することができる。具体的には、後記するように、ハンドルユニットは外シャフト、内シャフトの二重構造、すなわち、具体的には外シャフトがグリップユニットに入る構成とすることで、グリップユニットからのハンドルグリップの突出長さ、すなわち、長短調整の長さ範囲を広くすることができ、この種の従来機器においては数種類の長さ設定が必要であったものが、本発明構成では単一設定で当該作用、効果を実現できるとともに、上記長短調整の固定の点においても、この種の従来機器においては単に挟み込んでいたので緩んで長さがずれることがあったのに対し、本発明構成では窪みにピンを挿すだけで当該ずれを解消できる連続ビス締付機を実現できる。
【００５０】
図３３乃至図３５は、ハンドルユニット５の抜け止め機構を示す説明図である。
【００５１】
図３３は、ハンドルユニット５のハンドルシャフトにおける外シャフト４１の先端から見た状態を示し、図３４及び図３５は、図３３の中央断面図であり、後述するハンドルブロック４３の固定用の皿ボルト４３ａと内シャフト４２先端に両端が突設するように設けたストッパーピン４２ｂとが接触して抜け止めとなるように構成されている。
【００５２】
前記ハンドルユニット５は、図１に示すように、筒体状の外シャフト４１と、同じく筒体状の内シャフト４２との２重構造で、前記内シャフト４２を外シャフト４１に対して摺動可能に組み込んでいる。
【００５３】
また、前記外シャフト４１の上端部外周にハンドルブロック４３を４本の皿ボルト４３ａにより取り付け、このハンドルブロック４３の側壁部に螺合したハンドルノブ４４のねじ先端部を、外シャフト４１の内部に位置する内シャフト４２の側壁部に当接させ前記ハンドルノブ４４を締め付けることにより、外シャフト４１と内シャフト４２とを一体的に固定し、また、前記ハンドルノブ４４を緩めることにより、前記内シャフト４２を外シャフト４１に対して摺動可能とするように構成している。
【００５４】
更に、前記内シャフト４２の上端部に、ハンドルバーブロック４５を介してハンドルバー４７を左右同寸法に、かつ、水平配置に取り付け、ハンドルバー４７に対して一対のハンドルグリップ４６を取り付けている。
【００５５】
このようなハンドルユニット５の構成により、前記ハンドルノブ４４の締め付け又は緩め操作により、前記内シャフト４２の外シャフト４１に対する突出位置の調整を可能としている。
【００５６】
図３６、図３７は、本実施例に係るハンドルユニット５の長さ調節機構を示す説明図である。
【００５７】
図３６は、ハンドルユニット５の内シャフト４２と外シャフト４３とが固定された状態を示し、ハンドルノブ４４を右に回して締め付けることで、インサートシャフト４４ａによって固定ヘッド４４ｂが内シャフト４２の皿穴部４２ａに押し付けられている状態を示している。
【００５８】
図３７は、ハンドルユニット５の長さ調節をする際の状態を示し、ハンドルノブ４４を左に最後まで回して緩めると、固定ヘッド４４ｂが内シャフト４２の皿穴部４２ａにばね４４ｃの力だけで押し付けられ、内シャフト４２をスライドさせたとき、固定ヘッド４４ｂは内シャフト４２の皿穴部４２ａから乗り上げるようにハンドルノブ４４側にストロークして逃げるため、内シャフト４２は固定ヘッド４４ｂと皿穴部４２ａとが当接しながらカチカチと音を立ててスライドしてハンドルユニットの長さ調節が可能なように構成されている。
【００５９】
すなわち、本実施例によれば、前記内シャフト４２の外シャフト４１に対する突出位置の調整構造により、前記ハンドルグリップ４６のグリップユニット２に対する高さ調整、従って、連続ビス締付機１におけるハンドルグリップ４６の高さ調整を可能として、操作者の身長の相違に柔軟に対応し得るように構成している。
【００６０】
次に、図６乃至図８を参照して、前記グリップユニット２と、前記ビス締付機本体ユニット３との連結構造について説明する。
【００６１】
前記グリップユニット２と、前記ビス締付機本体ユニット３との間には、図６に示すように、前記ブロックヘッド１５に上端部を連結し、下端側を前記ビス締付機本体ユニット３内に臨ませた詳細は後述するフィードレバー操作体５０を配置している。
【００６２】
前記フィードレバー操作体５０は、図６に示すように、一対の長方形平板状のストッパープレート５１ａ、５１ｂを具備し、これらの上端部を纏めてプレート取り付けブロック５３を介して前記ブロックヘッド１５の裏面側に取り付け、これらの下端側を垂直下方に垂下し、前記ビス締付機本体ユニット３における詳細は後述するフィードレバー６４に係合させるように構成している。
【００６３】
すなわち、前記ブロックヘッド１５の表面側から裏面側に順にストッパープレート５１ｂ、５１ａを配置し、図７に示すように、前記ストッパープレート５１ａ、５１ｂの下端部間に水平方向に取り付けた軸ピン５４により回転可能に支持したストッパーローラー５５をフィードレバー６４のストップ用凹陥部６４ａに係合し得るように構成している。
【００６４】
また、図８に示すように、一対の長方形平板状のストッパープレート５１ａ、５１ｂの下端部間に水平方向に取り付けたフィードレバーピン６８により回転可能に支持したフィードレバー回動用ローラー５５をフィードレバー６４の斜面部６４ｂに係合し得るように構成している。
【００６５】
次に、前記ビス締付機本体ユニット３について、図１及び図１０乃至図１４を参照して詳述する。
【００６６】
前記ビス締付機本体ユニット３は、外観形態を画する箱形状のフィーダブロック６２を主要な構成部品とし、前記グリップユニット２から突出されたビットＢの先端部を前記フィーダブロック６２内の締付作用位置に臨ませている。
【００６７】
また、前記ビス締付機本体ユニット３は、ビス締付機本体ユニット３における締付動作に連動して、前記ビス締付機本体ユニット３の図１０又は図２０における側部から供給されるビスロープ６の帯状部材７に取り付けた各ビスＳを、前記締付作用位置に送り込むビス送り機構部６１を組み込んでいる。
【００６８】
前記フィーダブロック６２の上面部には、前記グリップユニット２におけるブロックヘッド１５の一対のガイドポール挿入筒１５ａ、１５ｂに挿入されて、ブロックヘッド１５、すなわち、前記グリップユニット２の下降、上昇動作をガイドする一対のガイドポール２１ａ、２１ｂの下端部が装着される一対のガイドポール受部６２ｃ、６２ｄを設けている。
【００６９】
次に、前記ビス送り機構部６１について詳述する。
【００７０】
前記ビス送り機構部６１は、図１０乃至図１４に示すように、前記フィーダブロック６２と、このフィーダブロック６２の前面右側に該フィーダブロック６２に対して前後方向（フィーダブロック６２の奥行方向）にその位置を微調整可能に取り付けるガイドカバー６３と、リリースレバー６７と、を有している。
【００７１】
前記ビス送り機構部６１は、図１０乃至図１４に示すように、前記フィーダブロック６２と、このフィーダブロック６２の前面右側に該フィーダブロック６２に対して前後方向（フィーダブロック６２の奥行方向）にその位置を微調整可能に取り付けるガイドカバー６３と、フィードレバー６４と、フィードラッチ６５と、グリップフィンガー６６と、リリースレバー６７と、を有していて、グリップフィンガー６６の動作をリリースレバー６７でフィードラッチ６５に連動させている。
【００７２】
すなわち、前記フィードラッチ６５とは、リリースレバー６７を用いた簡略な単一リンク構造により連動させる構成とし、また、グリップフィンガー６６の動作をリリースレバー６７でフィードラッチ６５に連動させる構成とし、グリップフィンガー６６でフィードラッチ６５を動作するように構成している。
【００７３】
前記フィーダブロック６２の右側前面には、図１０に示すように、ビスＳの頭部を通過させるための上下２段のビス頭部用凹溝６２ａ、６２ｂを設けている。また、前記ガイドカバー６３の後面には、前記上下２段のビス頭部用凹溝６２ａ、６２ｂと対抗する配置で、上下２段のビス頭部用凹溝６３ａ、６３ｂを設けている。
【００７４】
前記フィードレバー６４は、前記ビス締付機本体ユニット３内でフィードレバーピン６８により垂直配置に、かつ、回動可能に支持されている。
【００７５】
また、前記フィードレバー６４は、図１４に単独で示すように、レバー本体６４Ａの上部側に前記フィードレバー操作体５０に係合させる湾曲形状のストップ用凹陥部６４ａを設けるとともに、このストップ用凹陥部６４ａの下方に同じく前記フィードレバー操作体５０に係合させる斜面部６４ｂを設け、更に、レバー本体６４Ａの下部右側に前記フィードラッチ６５に当接させる突片６４ｃと、前記フィードラッチ６５を支持するための支持板部６４ｄとを上下２段配置に設けている。
【００７６】
前記フィードラッチ６５は、ビスＳ用のラッチ片６５ａと、回動受片６５ｂとを略９０度配置となるように一体形成し、両者の略中間部を、フィードラッチピン６９を用いて前記支持板部６４ｄ上で回動可能に支持するように構成している。
【００７７】
前記フィードラッチピン６９は、前記フィードレバー６４を軸支する前記フィードレバーピン６８の略真下の位置に配置している。
【００７８】
そして、前記ラッチ片６５ａをビスＳの通過領域に臨ませるとともに、前記回動受片６５ｂを前記フィードレバー６４の突片６４ｃの変位領域に臨ませている。
【００７９】
前記ラッチ片６５ａには、ビス受凹部６５ｃを設けている。
【００８０】
前記グリップフィンガー６６は、前記ビス締付機本体ユニット３内で前記フィードラッチ６５よりも左側の位置においてグリップフィンガーピン７０により水平配置に、かつ、回動可能に支持している。
【００８１】
前記グリップフィンガー６６は、その先端側のビス保持凹部６６ｂを前記ビスＳの締付作用位置の近傍に臨ませるビスＳ用のグリップ片６６ａと、リンク片６６ｃと、指操作片６６ｄと、の３片をグリップフィンガーピン７０の位置から三方に突出した構成からなる。
【００８２】
前記リンク片６６ｃは、その先端側を前記当接受片６５ｂの左側位置に臨ませるとともに、前記指操作片６６ｄはその先端側を前記フィーダブロック６２の左側前面に表出させるように構成している。
【００８３】
前記リリースレバー６７は、その左端近傍に設けた凹部６７ａに前記リンク片６６ｃの先端側を係合させ、また、その右端部を前記フィードラッチ６５の当接受片６５ｂの近傍に臨ませている。
【００８４】
上述したビス送り機構部６１によれば、前記フィードラッチ６５を支持するフィードラッチピン６９の支点を上述したように配置したことで、ビスＳを保持したビスロープ６を、前記フィーダブロック６２と、前記ガイドカバー６３との間に差し込むだけで、前記フィードラッチ６５のラッチ片６５ａによりビスロープ６に配置した一本のビスＳを容易、迅速に送ることができる。
【００８５】
すなわち、ビスＳを保持したビスロープ６を、前記フィーダブロック６２と、前記ガイドカバー６３との間に差し込む。
【００８６】
そして、前記グリップユニット２を少し下方に下降させることにより、前記フィードレバー操作体５０のストッパープレート５１ａ、５１ｂにより支持された前記ストッパーローラー５５が前記フィードレバー６４の斜面部６４ｂを下方に押し下げ、このフィードレバー６４を、フィードレバーピン６８を支軸として図１３において垂直方向で反時計方向に回動させる。
【００８７】
これに伴い、前記突片６４ｃ、支持板部６４ｄも、フィードレバーピン６８を支軸として少し傾きながら水平方向で反時計方向に回動しつつ矢印ａ方向に変位する。
【００８８】
同時にフィードラッチ６５は、ビス受凹部６５ｃに当接したビスＳに抗してフィードラッチピン６９を支軸として矢印ｂ方向に回動し、当該ラッチ片６５ａの先端がビスＳを通過した後、フィードラッチ６５は元の位置に復帰する。
【００８９】
この結果、ビスＳの頭がグリップフィンガー６６を矢印ｃ’方向に押し上げながらビスロープ６に配置したビスＳの締付作用位置へのビス送りをビスＳの頭部とビットＢとの干渉を防止しつつ簡略容易に実行することができる。
【００９０】
一方、ビスロープ６を取り外すときは、グリップフィンガー６６の指操作片６６ｄを図１３に示す矢印ｃ方向に操作するとリンク片６６ｃを介してリリースレバー６７が矢印ｄ方向に移動し、フィードラッチ６５の回動受片６５ｂを回動させて、ラッチ片６５ａがビスロープ６に配置したビスＳから離れる方向（矢印ｂ方向）に回動する。
【００９１】
これにより、ビスＳを保持したビスロープ６を簡単にビス送り機構部６１から取り外すことができる。
【００９２】
上述したビス送り機構部６１によれば、ビスＳの頭部とビットＢとの干渉を防止しつつ、前記したようにビスＳの頭がグリップフィンガー６６を押し上げながらビスロープ６に配置したビスＳの締付作用位置へのビス送りを簡略容易に実行することができ、また、リリースレバー６７を用いた単リンク構造という耐久性を高めた構成の基に、ビスＳを保持したビスロープ６の取り出しを簡略容易に実行することが可能となる。
【００９３】
次に、前記ビス締付機本体ユニット３に設けたギャップ調整機構部９１について図１５乃至図１８を参照して詳述する。
【００９４】
前記ギャップ調整機構部９１は、前記フィーダブロック６２の前面右側に、ガイドカバー６３を前後方向に平行移動可能に取り付け、前記フィーダブロック６２、ガイドカバー６３の間のギャップ（間隔）を広狭に調整可能とし、前記ビスＳを垂直配置に支持しつつ締付作用位置に向けてガイド可能としたものである。
【００９５】
すなわち、図１５に示すように、前記フィーダブロック６２の前面右側には、ガイドカバー６３を取り付けるための凹陥部９２を設けている。前記凹陥部９２の左右の内壁部には、摺動用突片９２ａを前後方向に２ヶ所設けている。
【００９６】
一方、前記ガイドカバー６３は、図１６に示すように、前面に円形段カム７２を設けた箱型状に形成した調整ブロック部７１と、フィーダブロック６２のビス頭部用凹溝６２ａ、６２ｂと対向配置にビス頭部用凹溝６３ａ、６３ｂを設けたビス誘導板部７３と、を一体成形したものである。
【００９７】
前記調整ブロック部７１は、図１６に示すように、前記凹陥部９２に装着して前後方向に摺動可能で、かつ、その両側壁部には前記摺動用突片９２ａが嵌合される凹溝７１ａを２ヶ所設け、これにより、前記調整ブロック部７１は前記凹陥部９２に対して位置ブレすることなく前後方向に正確に摺動可能になっている。
【００９８】
前記円形段カム７２は、図１６に示すように、例えば高さが６段に異なるカム面を円形配列し、その中心部に貫通穴７４を穿設している。
【００９９】
前記ギャップ調整機構部９１は、更に、図１、図１７に示すように、前記ガイドカバー６３を前記フィーダブロック６２の前面右側に取り付けるための調整ダイアル７５及び支持ネジ７６を具備している。
【０１００】
そして、支持ネジ７６を調整ダイアル７５の中心部に螺合して更に後方に突出させ、円形段カム７２の貫通穴７４を貫通させて、この支持ネジ７６の先端部を前記凹陥部９２の中心穴９２ｂに締め付け固定することで、前記ガイドカバー６３を前記フィーダブロック６２の前面右側に取り付けるように構成している。なお、前記ガイドカバー６３と前記フィーダブロック６２の間には、前記ギャップ調整機構部９１内において、前記ガイドカバー６３を前方に付勢するためのスプリング又はバネ（図示せず）が配置されている。
【０１０１】
また、前記調整ダイアル７５の内部には、図１８に示すように、前記円形段カム７２の各カム面に当接させるカム接触片７５ａを設けている。
【０１０２】
このような構成のギャップ調整機構部９１によれば、前記調整ダイアル７５を回転操作することで、カム接触片７５ａが前記円形段カム７２の高さが異なる各カム面のいずれかに当接することになり、この結果、前記調整ブロック部７１、すなわち、前記ガイドカバー６３は前記調整ダイアル７５の回転位置に応じて前記凹陥部９２に対して位置ブレすることなく段階的に前後方向に正確に摺動し、前記フィーダブロック６２、ガイドカバー６３の間のギャップ（間隔）を広狭に調整しつつ、これらの間を通過するビスＳを垂直配置に支持して締付作用位置に向けて的確にガイドすることができる。
【０１０３】
次に、前記ビス締付機本体ユニット３に設けたスクリューガイド位置調整機構部１０１について図１９乃至図２３を参照して詳述する。
【０１０４】
前記スクリューガイド位置調整機構部１０１は、前記ビス締付機本体ユニット３の下端部に配置され、締め付けられるビスＳを通過させるとともに、その下端面を前記ビスＳの締め付け対象箇所の面上に当接させるスクリューガイド７７の前記ビス締付機本体ユニット３に対する位置を調整するように構成している。
【０１０５】
前記スクリューガイド位置調整機構部１０１は、前記フィーダブロック６２における前記調整ダイアル７５の左側位置で、かつ、前記ビットＢと干渉しないように配置したものであり、前記フィーダブロック６２の下側に配置するスクリューガイド７７の後部側に下端部を固着し、上端側を前記ビットＢの後部側にこのビットＢと平行配置となるように起立させたアジャストプレート１０２と、前記フィーダブロック６２の内部に水平方向（矢印ｅ、ｆ方向）に移動可能に配置したアジャストブロック１０３と、前記フィーダブロック６２の内部に配置した支持ピン１０４ａにより図２１に示す矢印ｇ、ｈ方向に回動可能に支持されたアジャストレバー１０４と、を具備している。
【０１０６】
前記アジャストプレート１０２は、その上端部に前記前記ビットＢが非接触で挿通可能なビット穴１０２ｂを有する折曲片１０２ｃを有するとともに、前記アジャストブロック１０３と対向する垂直左辺に鋸歯状の係合凹凸部１０２ａを設けている。
【０１０７】
前記アジャストブロック１０３は、前記アジャストプレート１０２の垂直左辺と対向する右端面に鋸歯状の係合凹凸部１０３ａを設けている。
【０１０８】
更に、前記アジャストブロック１０３は、バネ（図示せず）により常時前記アジャストプレート１０２の垂直左辺側に（矢印ｍ方向に）付勢され、前記係合凹凸部１０３ａを係合凹凸部１０２ａに噛合させて前記アジャストプレート１０２の垂直方向の位置規制を行うように構成している。
【０１０９】
前記アジャストレバー１０４は、前記支持ピン１０４の周りに嵌装する嵌装筒部１０５ｂと、この嵌装筒部１０５ｂと一体で前記フィーダブロック６２の左側位置で外部に表出させる操作片１０５とを具備している。
【０１１０】
そして、前記嵌装筒部１０５ｂに前記アジャストブロック１０３の右端面の前側隅部近傍に臨ませるアジャストブロック操作突片１０５ａを設けている。
【０１１１】
上述したスクリューガイド位置調整機構部１０１によれば、図２２、図２３に示すように、前記アジャストレバー１０４を矢印ｐ方向に操作することにより、前記アジャストブロック１０３が矢印ｎ方向に移動して前記係合凹凸部１０３ａと前記係合凹凸部１０２ａとの噛合が解除され、前記アジャストプレート１０２の垂直方向の位置調整、すなわち、前記スクリューガイド７７の前記ビス締付機本体ユニット３に対する位置を、前記係合凹凸部１０２ａ、係合凹凸部１０３ａの鋸歯形態に応じた細かいピッチで調整することが可能になる。
【０１１２】
また、前記アジャストレバー１０４を矢印ｒ方向に戻すと、前記アジャストブロック１０３が矢印ｍ方向に移動し前記係合凹凸部１０３ａが係合凹凸部１０２ａに噛合する状態に復帰するので、前記アジャストプレート１０２の垂直方向の位置規制、すなわち、前記スクリューガイド７７の前記ビス締付機本体ユニット３に対する位置を所定の位置に固定することが可能になる。
【０１１３】
前記ビス締付機本体ユニット３は、更に前記フィーダブロック６２の下部において前記スクリューガイド７７の左側にビスロープカッター７８を配置し、本実施例に係る連続ビス締付機１によるビスＳの締め付け動作時においてスクリューガイド７７の左方に排出されるビスロープ６に空状態が生じて空状態が長くなったとき、この空状態のビスロープ６を操作者が足で踏み、前記ビス締付機本体ユニット３を持ち上げることで、ビスロープカッター７８に設けたカッター刃部７８ａにより簡略に前記ビスロープ６を切断できるように構成し、利便性を高めている。
【０１１４】
次に、前記ビス締付機本体ユニット３に設けたマガジン取り付け機構部１１１、及び前記マガジンユニット４について図２４乃至図２９を参照して詳述する。
【０１１５】
前記マガジン取り付け機構部１１１は、図２４乃至図２５に示すように、前記ビス締付機本体ユニット３におけるフィーダブロック６２の後面側に配置した例えば鉄製のマガジンブラケット１１２の左右両側部に一体に、かつ、垂直配置に設けた一対のスプリングプレート保持部１１３を具備している。
【０１１６】
前記一対のスプリングプレート保持部１１３は、前記マガジンブラケット１１２の両側部から平面視Ｌ型状（又は逆Ｌ型状）を呈するように後方に向けて対称配置に突出されて、前記一対のスプリングプレート保持部１１３間を前記マガジンユニット４の装着領域としている。
【０１１７】
また、前記一対のスプリングプレート保持部１１３の上端近傍には、各々嵌合穴部１１３ａを対向配置に設けている。
【０１１８】
次に、前記マガジンユニット４について、図２５乃至図２９を参照して説明する。
【０１１９】
前記マガジンユニット４は、ビスロープ６を巻回状態で収納し、繰り出し口１２１ａから前記ビス締付機本体ユニット３に向けて繰り出すマガジン本体１２１と、このマガジン本体１２１に対して簡略構造のピン結合により開閉可能に取り付けられ、その上部開口部を施蓋又は表出させるとともに、前記マガジン本体１２１に対して簡略に着脱可能に構成した蓋体１３１とを具備している。
【０１２０】
そして、前記マガジン本体１２１の前部を、前記マガジン取り付け機構部１１１の装着領域に着脱可能に配置するように構成している。
【０１２１】
すなわち、前記マガジン本体１２１の前部には、図２６、図２７に示すように、前記マガジン取り付け機構部１１１を構成する前記一対のスプリングプレート保持部１１３間に装着し、後述する一対のスプリングプレート１１４により弾性をもって固定する装着部１２２を設けている。
【０１２２】
前記装着部１２２は、前記一対のスプリングプレート保持部１１３の間に装着可能な間隔で垂直方向に並列配置した一対の四角枠状の垂直片部１２３を前記マガジン本体１２１と一体的に設けている。
【０１２３】
前記一対のスプリングプレート１１４は、弾性を有する板ばね状で、各下端部を前記一対のスプリングプレート保持部１１３に対向する垂直片部１２３の外面における下端部近傍に各々固着するとともに、各上部側を前記一対のスプリングプレート保持部１１３の対向する内面に添接する状態でこれら一対のスプリングプレート保持部１１３の上端から上方に突出させている。
【０１２４】
また、前記一対のスプリングプレート１１４は、各中間部に前記各嵌合穴部１１３ａに嵌合し更に前記スプリングプレート保持部１１３の外壁面から側方に突出可能となるように外方に折曲形成した嵌合凸部１１４ａを具備するとともに、各上端部に前記マガジンユニット４の所定位置に嵌合するためのクランク状に折曲形成した嵌着凸部１１４ｂを具備し、前記嵌合凸部１１４ａと嵌着凸部１１４ｂとを連結片部１１４ｃで連結している。
【０１２５】
また、前記嵌着凸部１１４ｂは、前記スプリングプレート保持部１１３の上方においてスプリングプレート保持部１１３の外壁面から更に側方に突出するように形成している。
【０１２６】
前記一対の枠状の垂直片部１２３の各上部には、前記マガジン取り付け機構部１１１における一対の嵌着凸部１１４ｂを突出する受穴部１２３ａを設けている。
【０１２７】
更に、前記受穴部１２３ａの下側後方には、前記スプリングプレート保持部１１３先端に設けた一対の係合突片１１３ｂが進入可能な係合溝１２３ｂを設けている。
【０１２８】
そして、前記マガジン本体１２１の装着部１２２を、前記マガジン取り付け機構部１１１の装着領域に対して、その上方から前記一対の枠状の垂直片部１２３の係合溝１２３ｂと前記スプリングプレート保持部１１３の一対の係合突片１１３ｂとを係合させつつ下降させ、前記一対のスプリングプレート１１４の一対の嵌合凸部１１４ａ及び一対の嵌着凸部１１４ｂをその弾力に抗してこれら両者の間隔狭めるようにして前記一対の枠状の垂直片部１２３を前記一対のスプリングプレート保持部１１３間に配置する。
【０１２９】
これにより、前記嵌合凸部１１４ａの先端は、前記一対のスプリングプレート保持部１１３に設けた嵌合穴部１１３ａに嵌合する。
【０１３０】
この結果、前記マガジン本体１２１の装着部１２２を、前記マガジン取り付け機構部１１１の装着領域において確実に支持することができる。
【０１３１】
一方、前記マガジン本体１２１の装着部１２２を、前記マガジン取り付け機構部１１１の装着領域から取り外すときには、前記一対のスプリングプレート１１４の各嵌着凸部１１４ｂを内側方向に押し込みつつ、前記マガジン本体１２１を上方に持ち上げる。
【０１３２】
すなわち、前記一対のスプリングプレート１１４の各嵌着凸部１１４ｂを操作者の操作にて内側方向に押し込むことで、前記一対のスプリングプレート保持部１１３に設けた嵌合穴部１１３ａの上端縁から突出していた一対の嵌合凸部１１４ａも内側方向に傾倒し、当該嵌合穴部１１３ａとの嵌合状態が解除される。
【０１３３】
これにより、前記マガジン本体１２１の装着部１２２を、前記マガジン取り付け機構部１１１の装着領域から上方に簡略に取り出すことができる。
【０１３４】
このようなマガジン取り付け機構部１１１と、マガジン本体１２１の装着部１２２とを採用することで、前記ビス締付機本体ユニット３に対する前記マガジン本体１２１の脱着時の剛性を高めつつ脱着操作の簡略化とマガジン本体１２１の保持状態における安定性の向上を実現することができる。
【０１３５】
次に、前記マガジン本体１２１と蓋体１３１との結合構造について図２６乃至図２９を参照して説明する。
【０１３６】
前記マガジン本体１２１の装着部１２２における一対の枠状の垂直片部１２３の後側には、図２６、図２７に示すように、四角形状を呈する蓋体受穴１２４を設け、また、前記マガジン本体１２１における後部側（垂直片部１２３と反対側）には前記蓋体１３１をピン結合で開閉可能に軸支する蓋体軸支部１２６を設けている。
【０１３７】
前記蓋体軸支部１２６は、前記マガジン本体１２１の後部側において垂直配置に設けた一対のピン受け片１２７に水平方向で対向する配置の一対のピン穴１２８を設けることにより構成している。
【０１３８】
一方、前記蓋体１３１の前部には、図２６、図２８に示すように、一対の支持板１３１ａにより回動可能に支持され前記蓋体受穴１２４に嵌合させる蓋ロック体１３２を設け、この蓋ロック体１３２を操作することで前記蓋体１３１の前記マガジン本体１２１に対するロック又はロック解除を行うように構成している。
【０１３９】
また、前記蓋体１３１の後部には、図２６、図２８、図２９に示すように、基端側を前記蓋体１３１の上面中央部に固定し、先端側が水平方向に変位可能な弾性を有する一対のピン支持プレート１３３を配置し、一対のピン支持プレート１３３に各々前記一対のピン穴１２８に嵌合可能な一対のピン１３４を設けている。
【０１４０】
前記一対のピン支持プレート１３３は、蓋体１３１側の下部に各々凹部１３３ａを有し、各凹部１３３ａを前記蓋体１３１の上面に円形状態に設けた突条１３５に係合させつつその先端側を操作者の手の掴み操作で広狭に変位可能に構成している。
【０１４１】
上述したマガジン本体１２１と蓋体１３１とのピン結合構造によれば、操作者が手で前記一対のピン支持プレート１３３の先端側を掴み、これら一対のピン支持プレート１３３の先端側の間隔を狭くした状態で一対のピン１３４を前記一対のピン穴１２８に嵌合させ、その後一対のピン支持プレート１３３から手を放すという簡略操作だけで、前記蓋体１３１を前記マガジン本体１２１に取り付けて開閉可能な軸支状態とすることができる。
【０１４２】
また、前記マガジン本体１２１から前記蓋体１３１を離脱させる場合には、軸支状態において操作者が手で前記一対のピン支持プレート１３３の先端側を掴み、これら一対のピン支持プレート１３３の先端側の間隔を狭くして一対のピン１３４を前記一対のピン穴１２８から離脱させ、この状態で前記蓋体１３１を持ち上げるという簡略操作だけで済むものである。
【０１４３】
なお、本実施例の連続ビス締付機１において、前記回転駆動部２２における歯車の組み換えにより、前記ビットＢの回転数を複数種の回転数に対応可能とすることができる。
【０１４４】
例えば、従来の連続ビス締付機は、固定ギヤ構造で、回転数は２４００ｒｐｍ／ｍｉｎの一種類であったが、本実施例の連続ビス締付機１においては、高張力鋼向け６ｍｍ径のドリルネジから４ｍｍ径の木ネジの締め付けに対応するために、ビットＢの回転数を１２００／１８００／２４００／３０００／３５００ｒｐｍ／ｍｉｎの五種類の回転数に対応させ、一台の連続ビス締付機１を広範に活用することが可能となる。
【０１４５】
具体的には、前記回転駆動部２２における第２歯車２９、第３歯車３０と、第４歯車３１とをセットで各回転数を実現する別の歯数を持った各歯車に組み替えることで前記ビットＢの回転数の変更を実現するものである。
【産業上の利用可能性】
【０１４６】
本発明は、トラック荷台の床面等、ビルディング、家屋等の建造物の床等を構成する構造材へのビスの締付作業、船舶の床等の構造材へのビスの締付作業等に広範に適用可能であり、また、連続ビス締付機自体の各要素の寸法を適宜変更することで、サイズの異なるビスに広範に対応する連続ビス締付機とすることができる。
【符号の説明】
【０１４７】
１    連続ビス締付機
２    グリップユニット
３    ビス締付機本体ユニット
４    マガジンユニット
５    ハンドルユニット
６    ビスロープ
７    帯状部材
１１    ハンドルカバー
１２    エンドカバー
１３    ハウジング
１４ａ  下第１カバー
１４ｂ  下第２カバー
１５    ブロックヘッド
１５ａ  ガイドポール挿入筒
１５ｂ  ガイドポール挿入筒
１５ｃ  ビット挿入筒
１５ｄ  収容穴
１６    トリガースイッチ
１７    ディレクションレバー
１８    ハンドルユニット挿入口
１９    ハンドルユニットロックレバー
１９ａ  カム部
２０    コード保持部
２１ａ  ガイドポール
２１ｂ  ガイドポール
２２    回転駆動部
２３    回転駆動源
２４    ビット回転駆動機構部
２４ａ  軸受
２４ｂ  軸受
２４ｃ  原動軸
２５    駆動モータ
２６    ブラシ
２７    ステーター
２８    第１歯車
２９    第２歯車
３０    第３歯車
３１    第４歯車
３２    クラッチ
３３    軸受
３４    ソケット
３５    スリーブ
３６    ビット調整ダイアル
４１    外シャフト
４１ａ  くぼみ
４２    内シャフト
４２ａ  皿穴部
４２ｂ  ストッパーピン
４３    ハンドルブロック
４３ａ  皿ボルト
４４    ハンドルノブ
４４ａ  インサートシャフト
４４ｂ  固定ヘッド
４４ｃ  ばね
４５    ハンドルバーブロック
４６    ハンドルグリップ
４７    ハンドルバー
５０    フィードレバー操作体
５１ａ  ストッパープレート
５１ｂ  ストッパープレート
５３    プレート取り付けブロック
５４    軸ピン
５５    ストッパーローラー
６１    ビス送り機構部
６２    フィーダブロック
６２ａ  ビス頭部用凹溝
６２ｂ  ビス頭部用凹溝
６２ｃ  ガイドポール受部
６２ｄ  ガイドポール受部
６３    ガイドカバー
６３ａ  ビス頭部用凹溝
６３ｂ  ビス頭部用凹溝
６４    フィードレバー
６４Ａ  レバー本体
６４ａ  ストップ用凹陥部
６４ｂ  斜面部
６４ｃ  突片
６４ｄ  支持板部
６５    フィードラッチ
６５ａ  ラッチ片
６５ｂ  回動受片
６５ｃ  ビス受凹部
６６    グリップフィンガー
６６ａ  グリップ片
６６ｂ  ビス保持凹部
６６ｃ  リンク片
６６ｄ  指操作片
６７    リリースレバー
６７ａ  凹部
６８    フィードレバーピン
６９    フィードラッチピン
７０    グリップフィンガーピン
７１    調整ブロック部
７１ａ  凹溝
７２    円形段カム
７３    ビス誘導板部
７４    貫通穴
７５    調整ダイアル
７５ａ  カム接触片
７６    支持ネジ
７７    スクリューガイド
７８    ビスロープカッター
７８ａ  カッター刃部
８１    ハンドルユニット挿入口カバー
８２    ピン
８３    レバースプリング
９１    ギャップ調整機構部
９２    凹陥部
９２ａ  摺動用突片
９２ｂ  中心穴
９３    ピン
１０１    スクリューガイド位置調整機構部
１０２    アジャストプレート
１０２ａ  係合凹凸部
１０２ｂ  ビット穴
１０２ｃ  折曲片
１０３    アジャストブロック
１０３ａ  係合凹凸部
１０４    アジャストレバー
１０４ａ  支持ピン
１０５    操作片
１０５ａ  アジャストブロック操作突片
１０５ｂ  嵌装筒部
１１１    マガジン取り付け機構部
１１２    マガジンブラケット
１１３    スプリングプレート保持部
１１３ａ  嵌合穴部
１１３ｂ  係合突片
１１４    スプリングプレート
１１４ａ  嵌合凸部
１１４ｂ  嵌着凸部
１１４ｃ  連結片部
１２１    マガジン本体
１２１ａ  繰り出し口
１２２    装着部
１２３    垂直片部
１２３ａ  受穴部
１２３ｂ  係合溝
１２４    蓋体受穴
１２６    蓋体軸支部
１２７    ピン受け片
１２８    ピン穴
１３１    蓋体
１３１ａ  支持板
１３２    蓋ロック体
１３３    ピン支持プレート
１３３ａ  凹部
１３４    ピン
１３５    突条
Ｂ    ビット
Ｓ    ビス
【図１】
0006712085.tif 000002
【図２】
0006712085.tif 000003
【図３】
0006712085.tif 000004
【図４】
0006712085.tif 000005
【図５】
0006712085.tif 000006
【図６】
0006712085.tif 000007
【図７】
0006712085.tif 000008
【図８】
0006712085.tif 000009
【図９】
0006712085.tif 000010
【図１０】
0006712085.tif 000011
【図１１】
0006712085.tif 000012
【図１２】
0006712085.tif 000013
【図１３】
0006712085.tif 000014
【図１４】
0006712085.tif 000015
【図１５】
0006712085.tif 000016
【図１６】
0006712085.tif 000017
【図１７】
0006712085.tif 000018
【図１８】
0006712085.tif 000019
【図１９】
0006712085.tif 000020
【図２０】
0006712085.tif 000021
【図２１】
0006712085.tif 000022
【図２２】
0006712085.tif 000023
【図２３】
0006712085.tif 000024
【図２４】
0006712085.tif 000025
【図２５】
0006712085.tif 000026
【図２６】
0006712085.tif 000027
【図２７】
0006712085.tif 000028
【図２８】
0006712085.tif 000029
【図２９】
0006712085.tif 000030
【図３０】
0006712085.tif 000031
【図３１】
0006712085.tif 000032
【図３２】
0006712085.tif 000033
【図３３】
0006712085.tif 000034
【図３４】
0006712085.tif 000035
【図３５】
0006712085.tif 000036
【図３６】
0006712085.tif 000037
【図３７】
0006712085.tif 000038